(57)【特許請求の範囲】
【請求項１】
オス型又はメス型の端子構造をなす第１端子を有するハーネスと、該第１端子に嵌合するメス型又はオス型の端子構造をなす第２端子を有する通電装置とを備え、前記第１端子及び前記第２端子が嵌合した状態で前記通電装置が前記ハーネスへの通電を行う通電システムにおいて、
前記第１端子及び前記第２端子は、メス型の端子へのオス型の端子の挿入位置に応じて前記通電装置から前記ハーネスへの通電経路の抵抗値が変化する構成をなし、
前記通電装置は、
通電により前記ハーネスへ流れる電流量を検知する検知部と、
前記検知部が検知する電流量が閾値より少なくなる変化が生じた場合に通電を停止する通電停止部と
を有すること
を特徴とする通電システム。
【請求項２】
前記オス型の端子は、前記メス型の端子に対する挿入方向について、根元側に設けられた第１抵抗値の第１部分と、先端側に設けられた第２抵抗値の第２部分とを有すること
を特徴とする請求項１に記載の通電システム。
【請求項３】
前記第２抵抗値は、前記第１抵抗値より大きな値であること
を特徴とする請求項２に記載の通電システム。
【請求項４】
前記通電停止部は、前記検知部が検知する電流量が低下した場合に通電を停止すること
を特徴とする請求項３に記載の通電システム。
【発明の詳細な説明】
【技術分野】
【０００１】
本発明は、アーク放電の発生を防止する通電システムに関する。
【背景技術】
【０００２】
接点を開閉する場合、接点間の電位差がいわゆる最小アーク電圧より大きく、且つ、接点電流が最小アーク電流より大きいときに、アーク放電が発生することが知られている。特に直流電流が流れている接点を開閉する場合は、交流電流が流れている場合と比較して放電が長時間持続する。接点間にアーク放電が発生した場合、アーク放電に伴う高熱によって、接点の酸化、黒化又は溶着等の損傷が生じる虞がある。またアーク放電による電磁波ノイズが発生して周囲の電子回路に悪影響を及ぼす虞がある。
【０００３】
特許文献１においては、点灯中のＬＥＤに対応する電気的量をサンプリングし、サンプリングデータと基準データとを比較して両データ間にアーク放電の最小電圧１３Ｖより低い所定電圧に対応する電気的量の差があった場合にはアーク放電が生起したと判定し、アーク放電が生起したと判定したときに直流電源の出力を停止又は低減するＬＥＤ点灯装置が提案されている。
【先行技術文献】
【特許文献】
【０００４】
【特許文献１】特開２０１０−１９９５２１号公報
【発明の概要】
【発明が解決しようとする課題】
【０００５】
特許文献１に記載のＬＥＤ点灯装置は、アーク放電が生起したと判定した場合に直流電源の出力を停止又は低減する構成であり、アーク放電の発生後に何らかの対策を行う構成である。しかしながら、アーク放電が一旦発生してしまうと、これを如何に高速に遮断したとしても、接点の損傷が発生してしまう可能性がある。
【０００６】
本発明は、斯かる事情に鑑みてなされたものであって、その目的とするところは、アーク放電が発生する手前の段階で通電を遮断することにより、アーク放電の発生を防止する通電システムを提供することにある。
【課題を解決するための手段】
【０００７】
本発明に係る通電システムは、オス型又はメス型の端子構造をなす第１端子を有するハーネスと、該第１端子に嵌合するメス型又はオス型の端子構造をなす第２端子を有する通電装置とを備え、前記第１端子及び前記第２端子が嵌合した状態で前記通電装置が前記ハーネスへの通電を行う通電システムにおいて、前記第１端子及び前記第２端子は、メス型の端子へのオス型の端子の挿入位置に応じて前記通電装置から前記ハーネスへの通電経路の抵抗値が変化する構成をなし、前記通電装置は、通電により前記ハーネスへ流れる電流量を検知する検知部と、前記検知部が検知する電流量が閾値より少なくなる変化が生じた場合に通電を停止する通電停止部とを有することを特徴とする。
【０００８】
また、本発明に係る通電システムは、前記オス型の端子が、前記メス型の端子に対する挿入方向について、根元側に設けられた第１抵抗値の第１部分と、先端側に設けられた第２抵抗値の第２部分とを有することを特徴とする。
【０００９】
また、本発明に係る通電システムは、前記第２抵抗値が、前記第１抵抗値より大きな値であることを特徴とする。
【００１０】
また、本発明に係る通電システムは、前記通電停止部が、前記検知部が検知する電流量が低下した場合に通電を停止することを特徴とする。
【００１２】
本発明に係る通電システムは、第１端子を有するハーネスを通電装置の第２端子に接続し、第１端子及び第２端子が嵌合した状態で通電装置からハーネスへ通電が行われるシステムである。第１端子及び第２端子は、いずれか一方がオス型の端子であり、他方がメス型の端子である。このようなシステムにおいては、通電装置からハーネスが外れた際、即ち第２端子から第１端子が外れた際にアーク放電が発生する可能性がある。
そこで本発明においては、メス型の端子へのオス型の端子の挿入位置に応じて、通電装置からハーネスへの通電経路の抵抗値が変化するように端子を構成する。通電装置は、通電によりハーネスへ流れる電流量を検知し、この電流量に所定の変化が生じた場合に通電を停止する。
メス型の端子からオス型の端子が外れる場合には、オス型の端子の挿入位置に応じて抵抗値が変化する構成であるため、オス型の端子が完全に外れる手前の段階で抵抗値の変化が生じ、通電装置からハーネスへ流れる電流量が変化する。よって通電装置が、通電経路の抵抗値の変化に応じた電流量の変化の有無を判定することにより、端子が外れそうになっている状態を検出することができる。電流量の変化に応じて通電装置が通電を遮断することによって、端子が外れる手前の段階で通電を遮断することができ、アーク放電の発生前に通電を遮断することができる。
【００１３】
また本発明においてオス型の端子には、メス型の端子に対する挿入方向について、根元側に第１抵抗値の第１部分を設け、先端側に第２抵抗値の第２部分を設ける。これによりオス型の端子がメス型の端子としっかり嵌合している状態においては、通電装置及びハーネスの間の通電がオス型の端子の第１部分を介して行われる。これに対してオス型の端子がメス型の端子から外れる直前には、オス型の端子の第２部分のみを介して通電が行われる状態となる。第１部分及び第２部分の抵抗値を異なる値とすることによって、メス型の端子に対するオス型の端子の挿入位置に応じて通電装置及びハーネス間の通電経路の抵抗値を変化させることができる。
【００１４】
また本発明においては、オス型の端子の先端側に設けた第２部分の第２抵抗値は、根元側に設けた第１部分の第１抵抗値より大きい値とする。これによりオス型の端子がメス型の端子から外れる直前に、通電経路の抵抗値を高い値に変化させることができる。
またこの構成においては通電経路の抵抗値が高い値に変化することによって、通電経路を流れる電流量が低下する。そこで通電装置は、検知する電流量が低下した場合にアーク放電が発生する可能性があると判断し、通電を停止することができる。
【発明の効果】
【００１５】
本発明による場合は、メス型の端子へのオス型の端子の挿入位置に応じて、通電装置からハーネスへの通電経路の抵抗値が変化するように端子を構成し、通電経路の電流量に所定の変化が生じた場合に通電装置が通電を停止することにより、アーク放電が発生する手前の段階で通電を遮断することができ、アーク放電の発生を防止することができる。
【図面の簡単な説明】
【００１６】
【図１】本実施の形態に係る通電システムの構成を示すブロック図である。
【図２】本実施の形態に係るオス型端子及びメス型端子の構成を示す模式図である。
【図３】第１抵抗値部分及び第２抵抗値部分の素材の一例を示す表である。
【図４】通電装置からハーネスへ流れる電流量の変化を説明するためのグラフである。
【図５】通電装置が行う通電制御の処理手順を示すフローチャートである。
【図６】変形例に係るオス型端子及びメス型端子の構成を示す模式図である。
【発明を実施するための形態】
【００１７】
以下、本発明をその実施の形態を示す図面に基づき具体的に説明する。図１は、本実施の形態に係る通電システムの構成を示すブロック図である。本実施の形態に係る通電システムは、例えば車両にヒータ又はランプ等の負荷３が搭載され、この負荷３に対するオン／オフの切替操作を受け付けるスイッチ２が車両の運転席近傍などに設けられ、スイッチ２の状態に応じて通電装置１が負荷３への通電を行うシステムである。通電装置１及び負荷３は、車両内に配されたハーネス５を介して接続されている。また通電装置１及びハーネス５は、ハーネス５の一端に設けられたオス型端子１０と、通電装置１の筐体などに適宜に設けられたメス型端子２０との嵌合により接続されている。
【００１８】
本実施の形態に係る通電装置１は、制御部３１、駆動部３２及び電流検知部３３等を備えて構成されている。制御部３１は、ＣＰＵ（Central Processing Unit）などの演算処理装置、並びに、ＲＯＭ（Read Only Memory）及びＲＡＭ（Random Access Memory）等の記憶装置を用いて構成されており、スイッチ２のオン／オフ状態を検知し、検知結果に応じて駆動部３２へ駆動命令を与えることにより、負荷３への通電を制御する処理を行う。
【００１９】
駆動部３２は、車両のバッテリなどの電源から電圧が４８Ｖの電力が供給されている。駆動部３２は、制御部３１から与えられる命令に応じて、電圧値が４８Ｖの電力を出力する。駆動部３２が出力する電力は、通電装置１の内部配線、メス型端子２０、オス型端子１０及びハーネス５を介して負荷３へ供給される。即ち、通電装置１から負荷３への通電が行われる。
【００２０】
電流検知部３３は、駆動部３２からメス型端子２０までの通電経路中に配されており、この通電経路を流れる電流の電流量を検知して制御部３１へ通知する。制御部３１は、電流検知部３３が検知する電流量に基づいて異常の有無を判断し、異常があると判断した場合には駆動部３２の動作を停止させることにより、負荷３への通電を停止する制御を行う。
【００２１】
図２は、本実施の形態に係るオス型端子１０及びメス型端子２０の構成を示す模式図である。なお図２においては、上段にオス型端子１０及びメス型端子２０の接続前の状態を示し、中段にオス型端子１０及びメス型端子２０が接続された状態を示し、下段にオス型端子１０及びメス型端子２０が外れる直前の状態を示してある。
【００２２】
オス型端子１０は、導電性の棒状部分を有しており、この棒状部分がハーネス５の電線と電気的に接続されている。メス型端子２０には、オス型端子１０の棒状部分が挿入される穴部２１が形成されている。メス型端子２０は、少なくとも穴部２１の内面が導電性を有する素材で構成されており、穴部２１の内面が通電装置１の内部配線と電気的に接続されている。オス型端子１０の棒状部材をメス型コネクタ２０の穴部２１へ挿入することによって、オス型端子１０及びメス型端子２０が嵌合し、オス型端子１０及びメス型端子２０が電気的に接続され、通電装置１及びハーネス５が電気的に接続される。
【００２３】
本実施の形態に係るオス型端子１０の棒状部分は、根元側に設けられた第１抵抗値部分１１と、先端側に設けられた第２抵抗値部分１２とを有している。第１抵抗値部分１１及び第２抵抗値部分１２は、例えばベースとなる金属製の棒状部材に対してそれぞれ異なる金属によるメッキを施すことにより、異なる抵抗値を与えたものである。第１抵抗値部分１１の抵抗値をＲ１とし、第２抵抗値部分１２の抵抗をＲ２とすると、本実施の形態においてはＲ１＜Ｒ２となるようにメッキする金属が選定されている。例えば、第１抵抗値部分１１に対しては白金のメッキ施し、第２抵抗値部分１２に対してはパラジウム又はニッケル等のメッキを施すことが考えられる。
【００２４】
図３は、第１抵抗値部分１１及び第２抵抗値部分１２の素材の一例を示す表である。第１抵抗値部分１１及び第２抵抗値部分１２のメッキとして採用され得る金属には、例えば銀（１．６２）、銅（１．６９）、金（２．４）、クロム（７．１）、白金（８．８）、パラジウム（１０．０８）、すず（１１．５）及びニッケル（１１．８）等がある。なお各金属名の後に記載したカッコ内の数値は、この金属の電気抵抗率であり単位はμΩ・ｃｍである。
【００２５】
例えば、第１抵抗値部分１１に対して銀のメッキを施し、第２抵抗値部分１２に対して銅のメッキを施すことができる。例えば、第１抵抗値部分１１に対してクロムのメッキを施し、第２抵抗値部分１２に対してパラジウムのメッキを施すことができる。例えば、第１抵抗値部分１１に対して金のメッキを施し、第２抵抗値部分１２に対してすずのメッキを施すことができる。例えば、第１抵抗値部分１１に対してパラジウムのメッキを施し、第２抵抗値部分１２に対してニッケルのメッキを施すことができる。
【００２６】
なお、第１抵抗値部分１１及び第２抵抗値部分１２のメッキとして採用する金属は、上記のものに限らず、上記以外の金属を採用してもよい。複数の金属の合金などを用いてもよい。また図３に示した金属の組み合わせは、一例であって、これに限るものではない。また更には、第１抵抗値部分１１及び第２抵抗値部分１２の素材を同じ金属とし、その形状などに差異を設けることによって抵抗値に差異を設ける構成としてもよい。
【００２７】
オス型端子１０及びメス型端子２０が正常に接続されている状態、即ちオス型端子１０の棒状部分が根元までメス型端子２０の穴部２１内に挿入されている状態において（図２中段参照）、オス型端子１０の第１抵抗値部分１１及び第２抵抗値部分１２とメス型端子２０の穴部２１の内面とが接触し、電気的に接続された状態となる。この状態では、抵抗値の低い第１抵抗値部分１１とメス型端子２０の内面との間で主に電流が流れる。このときに流れる電流量は、第１抵抗値部分１１の抵抗値Ｒ１（又は、第１抵抗値部分１１の抵抗値Ｒ１と第２抵抗値部分１２の抵抗値Ｒ２との合成抵抗）により定まる。
【００２８】
ここで、何らかの要因によりメス型端子２０からオス型端子１０が外れる端子外れが発生したとする。この際には、メス型端子２０からオス型端子１０が完全に外れる手前の段階で、図２下段に示すように、オス型端子１０の第１抵抗値部分１１はメス型端子２０の穴部２１外へ出ているが、第２抵抗値部分１２は穴部２１内に収まっている状態が生じる。この状態では、オス型端子１０の第２抵抗値部分１２のみがメス型端子２０の穴部２１の内面と接触しているため、第２抵抗値部分１２とメス型端子２０の内面との間で電流が流れる。このときに流れる電流は、第２抵抗値部分１２の抵抗値Ｒ２により定まる。
【００２９】
即ち、本実施の形態に係るオス型端子１０及びメス型端子２０は、オス型端子１０のメス型端子２０への挿入位置に応じて、通電装置１からハーネス５への通電経路の抵抗値が変化する構成とされている。この抵抗値に変化により通電装置１からハーネス５へ流れる電流の電流量が変化するため、通電装置１は、電流検知部３３が検知する電流量に基づいて、オス型端子１０及びメス型端子２０が外れようとしていることを検出することができる。
【００３０】
図４は、通電装置１からハーネス５へ流れる電流量の変化を説明するためのグラフである。図４に示すグラフは、横軸を時間とし、縦軸を電流検知部３３が検知する電流量として、オス型端子１０及びメス型端子２０が完全に接続された状態から、一定速度で徐々にオス型端子１０を抜き取る方向へ移動させた場合の電流量の変化を示している。時刻ｔ０〜ｔ１の区間では、オス型端子１０の第１抵抗値部分１１がメス型端子２０の穴部２１内に収まっており、第１抵抗値部分１１の抵抗値Ｒ１にて定まる電流Ｉ１が流れている。
【００３１】
時刻ｔ１において、オス型端子１０の第１抵抗値部分１１がメス型端子２０の穴部２１の外に出て、第２抵抗値部分１２のみが穴部２１内に収まった状態（図２下段の状態）となる。第２抵抗値部分１２のみがメス型端子２０の穴部２１の内面に接触した状態が維持される時刻ｔ１〜ｔ２の区間では、第２抵抗値部分１２の抵抗値Ｒ２にて定まる電流Ｉ２が流れている。
【００３２】
時刻ｔ２において、オス型端子１０の第２抵抗値部分１２がメス型端子２０の穴部２１の外に出た状態となり、オス型端子１０及びメス型端子２０の間でアーク放電が発生し、オス型端子１０及びメス型端子２０の間でアーク放電による電流が流れる。このときに流れる電流は、オス型端子１０及びメス型端子２０の間の距離が離れるにしたがって減少する。オス型端子１０及びメス型端子２０の距離が所定距離を超え、アーク放電が生じなくなった時刻ｔ３において、オス型端子１０及びメス型端子２０の間で電流は流れなくなる。
【００３３】
本実施の形態に係る通電装置１は、電流検知部３３が検知する電流量が図４に示したＩ１からＩ２へ変化した場合に通電を停止する制御を行う。このときに通電装置１の制御部３１は、例えば閾値Ｉｔｈ（ただしＩ１＞Ｉｔｈ＞Ｉ２である）を記憶しておき、電流検知部３３が検知する電流量がＩｔｈ以下となった場合に通電を停止する制御を行う構成とすることができる。閾値Ｉｔｈは、第１抵抗値部分１１の抵抗値Ｒ１、第２抵抗値部分１２の抵抗値Ｒ２、印加電圧値及び負荷３内の抵抗値等に基づいて予め定めることができる。
【００３４】
図５は、通電装置１が行う通電制御の処理手順を示すフローチャートである。通電装置１の制御部３１は、スイッチ２のオン／オフの状態を取得し、スイッチ２がオン状態であるか否かを判定する（ステップＳ１）。スイッチ２がオン状態でない場合（Ｓ１：ＮＯ）、制御部３１は、スイッチ２がオン状態となるまで待機する。スイッチ２がオン状態である場合（Ｓ１：ＹＥＳ）、制御部３１は、駆動部３２へ駆動命令を与えることにより、負荷３への通電を開始する（ステップＳ２）。その後、制御部３１は、スイッチ２がオフ状態であるか否かを判定する（ステップＳ３）。スイッチ２がオフ状態である場合（Ｓ３：ＹＥＳ）、制御部３１は、駆動部３２へ停止命令を与えることにより、負荷３への通電を停止し（ステップＳ４）、ステップＳ１へ処理を戻す。
【００３５】
スイッチ２がオフ状態でない場合（Ｓ３：ＮＯ）、制御部３１は、電流検知部３３が検知する電流量を取得する（ステップＳ５）。制御部３１は、取得した電流量が所定の閾値Ｉｔｈより少ないか否かを判定する（ステップＳ６）。電流量が閾値Ｉｔｈ以上である場合（Ｓ６：ＮＯ）、制御部３１は、ステップＳ３へ処理を戻す。電流量が閾値Ｉｔｈより少ない場合（Ｓ６：ＹＥＳ）、制御部３１は、駆動部３２へ停止命令を与えることにより、負荷３への通電を停止し（ステップＳ７）、処理を終了する。
【００３６】
以上の構成の本実施の形態に係る通電システムは、ハーネス５のオス型端子１０を通電装置１のメス型端子２０に接続し、オス型端子１０及びメス型端子２０が嵌合した状態で通電装置１からハーネス５へ通電が行われるシステムである。オス型端子１０及びメス型端子２０は、メス型端子２０へのオス型端子１０の挿入位置に応じて、通電装置１からハーネス５への通電経路の抵抗値が変化する構成とする。オス型端子１０の挿入位置に応じて抵抗値が変化する構成であるため、メス型端子２０からオス型端子１０が外れる際には、オス型端子１０が完全に外れる手前の段階で抵抗値の変化が生じ、通電装置１からハーネス５へ流れる電流の電流量が変化する。通電装置１は、通電経路の抵抗値の変化に応じた電流量の変化の有無を判定することにより、オス型端子１０及びメス型端子２０が外れそうになっている状態を検出することができる。よって電流検知部３３が検知する電流量の変化に応じて通電装置１が通電を遮断することによって、オス型端子１０及びメス型端子２０が外れる手前の段階で通電を遮断することができ、アーク放電の発生前に通電を遮断することができる。
【００３７】
また本実施の形態においてオス型端子１０には、メス型端子２０に対する挿入方向について、根元側に抵抗値Ｒ１の第１抵抗値部分１１を設け、先端側に抵抗値Ｒ２の第２抵抗値部分１２を設ける。これによりオス型端子１０がメス型端子２０としっかり嵌合している状態においては、通電装置１及びハーネス５の間の通電がオス型端子１０の第１抵抗値部分１１を介して行われる。これに対してオス型端子１０がメス型端子２０から外れる直前には、オス型端子１０の第２抵抗値部分１２のみを介した通電が行われる状態となる。第１抵抗値部分１１及び第２抵抗値部分１２の抵抗値を異なる値とすることによって、メス型端子２０に対するオス型端子１０の挿入位置に応じて、通電装置１及びハーネス５の間の通電経路の抵抗値を変化させることができる。
【００３８】
また本実施の形態においては、オス型端子１０の第２抵抗値部分１２の抵抗値Ｒ２は、第１抵抗値部分１１の抵抗値Ｒ１より大きい値とする。これによりオス型端子１０がメス型端子２０から外れる直前に、通電経路の抵抗値を高い値に変化させることができる。またこの構成においては、通電経路の抵抗値が高い値に変化することによって、通電経路を流れる電流量が低下する。そこで通電装置１は、電流検知部３３が検知する電流量が閾値よりも低下した場合にアーク放電が発生する可能性があると判断し、通電を停止することができる。
【００３９】
なお本実施の形態においては、通電システムが車両に搭載されるものとしたが、これに限るものではない。本技術は、車載以外のどのようなシステムに適用してもよく、オス型端子及びメス型端子が接続されて通電が行われる構成のシステムに適用可能である。また図１及び図２に示したオス型端子１０及びメス型端子２０の形状は、一例として示した模式的な形状である。オス型端子１０及びメス型端子２０の形状は図示のものに限らず、どのような形状であってもよい。
【００４０】
またオス型端子１０の第１抵抗値部分１１及び第２抵抗値部分１２は、メッキの種類を変えることで抵抗値を異なる値としたが、これに限るものではない。例えば抵抗値が異なる２つの金属棒を連結することで第１抵抗値部分１１及び第２抵抗値部分１２としてもよい。また第１抵抗値部分１１をすずのメッキとし、第２抵抗値部分１２をパラジウム又はニッケル等のメッキとしたが、これらは一例であって、抵抗値が異なるものであればどのような素材を用いてもよい。また第２抵抗値部分１２の抵抗値Ｒ２が第１抵抗値部分１１の抵抗値Ｒ１より大きい値としたが、これに限るものではなく、大小関係は逆であってもよい。
【００４１】
また通電装置１は、電流検知部３３にて通電経路を流れる電流量を検知し、検知した電流量と閾値とを比較して通電を停止する構成としたが、これに限るものではない。電流量を検知する代わりに、例えば通電経路中に介装された抵抗器の両端の電圧値を検知し、検知した電圧値と閾値との比較を行う構成としてもよい。また例えば、電流検知部３３が検知する電流量に加えて、負荷３へ印加されている電圧値を検知し、検知した電流及び電圧から抵抗値を算出し、算出した抵抗値と閾値との比較を行う構成としてもよい。
【００４２】
また通電装置１にメス型端子２０を設け、ハーネス５にオス型端子１０を設ける構成としたが、これに限るものではない。通電装置１のオス型端子１０を設け、ハーネス５にメス型端子２０を設ける構成としてもよい。また電源電圧を４８Ｖとしたが、これに限るものではない。
【００４３】
（変形例）
図６は、変形例に係るオス型端子１０及びメス型端子１２０の構成を示す模式図である。変形例に係るオス型端子１０は、上述の実施の形態に示したオス型端子１０と同じ構成である。変形例に係るメス型端子１２０は、オス型端子１０が挿入される穴部２１の内面に第１抵抗値部分１１１及び第２抵抗値部分１１２が設けられている。メス型端子１２０の第１抵抗値部分１１１は、オス型端子１０の挿入方向について、穴部２１の奥側の内面の一周に亘って設けられている。第２抵抗値部分１１２は、穴部２１の開口側の内面の一周に亘って設けられている。
【００４４】
メス型端子１２０の第１抵抗値部分１１１及び第２抵抗値部分１１２は、例えば穴部２１の内面にそれぞれ異なる金属によるメッキを施すことにより、異なる抵抗値を与えたものである。メス型端子１２０の第１抵抗値部分１１１の抵抗値をＲ１１１とし、第２抵抗値部分１１２の抵抗値をＲ１１２とすると、例えばＲ１１１＜Ｒ１１２となるように、メッキする金属が選定されている。例えば、第１抵抗値部分１１１に対してはすずのメッキ施し、第２抵抗値部分１１２に対してはパラジウム又はニッケル等のメッキを施すことが考えられる。
【００４５】
変形例に係るオス型端子１０及びメス型端子１２０が正常に接続されている状態、即ちオス型端子１０の棒状部分が根元までメス型端子１２０の穴部２１内に挿入されている状態では、オス型端子１０の第１抵抗値部分１１とメス型端子１２０の第１抵抗値部分１１１とが接触して電気的に接続された状態となる。何らかの要因によりメス型端子１２０からオス型端子１０が外れる端子外れが発生したとする。この際には、メス型端子１２０からオス型端子１０が完全に外れる手前の段階で、オス型端子１０の第２抵抗値部分１２及びメス型端子１２０の第２抵抗値部分１１２のみが接触した状態となり、オス型端子１０の第２抵抗値部分１２及びメス型端子１２０の第２抵抗値部分１１２との間で電流が流れる。
【００４６】
即ち、変形例に係るオス型端子１０及びメス型端子１２０は、オス型端子１０のメス型端子１２０への挿入位置に応じて、通電装置１からハーネス５への通電経路の抵抗値が変化する構成とされている。この抵抗値に変化により通電装置１からハーネス５へ流れる電流の電流量が変化するため、通電装置１は、電流検知部３３が検知する電流量に基づいて、オス型端子１０及びメス型端子１２０が外れようとしていることを検出することができる。
【符号の説明】
【００４７】
１  通電装置
２  スイッチ
３  負荷
５  ハーネス
１０  オス型端子（第１端子）
１１  第１抵抗値部分（第１部分）
１２  第２抵抗値部分（第２部分）
２０  メス型端子（第２端子）
２１  穴部
３１  制御部（通電停止部）
３２  駆動部
３３  電流検知部（検知部）
１１１  第１抵抗値部分
１１２  第２抵抗値部分
１２０  メス型端子
【図１】
0006631169.tif 000002
【図２】
0006631169.tif 000003
【図３】
0006631169.tif 000004
【図４】
0006631169.tif 000005
【図５】
0006631169.tif 000006
【図６】
0006631169.tif 000007